(57)【要約】【課題】  実行中のアプリケーションを優先させたい場合に呼び出しが行われるのを防止することができる携帯通信端末を提供する。【解決手段】  受信した接続要求からアドレス情報を抽出する発信元情報抽出部２２と、優先指定情報からなる優先アプリテーブルを記憶する優先アプリテーブル記憶部１２と、アプリテーブル指定情報からなるアプリ参照テーブルを記憶するアプリ参照テーブル記憶部１３と、発信元端末のアドレス情報に基づいて加入者テーブルから加入者情報を抽出する加入者情報抽出部２３と、この加入者情報が優先アプリテーブルに関連付けられているか否かをアプリ参照テーブルに基づいて判別するアプリ参照判別部２４と、その判別結果に基づいて優先アプリテーブルを読み出し、実行中アプリ情報に基づいて優先アプリテーブルから優先指定情報を抽出する優先指定抽出部２５と、この優先指定情報に基づいて呼び出しを行う着呼制御部２６により構成される。【選択図】  図２
2008148093.tif 000002
【特許請求の範囲】
【請求項１】
発信元となる通信端末からアドレス情報を含む接続要求を受信する受信手段と、
受信した上記接続要求から発信元端末のアドレス情報を抽出する発信元情報抽出手段と、
画面表示を行う２以上の異なるアプリケーションプログラムを実行し、実行中のアプリケーションプログラムを示す実行中アプリ情報を生成するアプリケーション実行手段と、
他の通信端末の加入者情報にそれぞれ対応付けられた２以上のアドレス情報からなる加入者テーブルを記憶する加入者テーブル記憶手段と、
上記接続要求の受信時に呼び出しを行うか否かを指定する上記アプリケーションプログラムごとの優先指定情報からなる優先アプリテーブルを記憶する優先アプリテーブル記憶手段と、
上記優先アプリテーブルに関連付けるか否かを指定する上記加入者情報ごとのアプリテーブル指定情報からなるアプリ参照テーブルを記憶するアプリ参照テーブル記憶手段と、
上記発信元端末のアドレス情報に基づいて、上記加入者テーブルから加入者情報を抽出する加入者情報抽出手段と、
上記アプリ参照テーブルに基づいて、上記加入者情報抽出手段により抽出された加入者情報が上記優先アプリテーブルに関連付けられているか否かを判別するアプリ参照判別手段と、
上記アプリ参照判別手段による判別結果に基づいて上記優先アプリテーブルを読み出し、上記実行中アプリ情報に基づいて優先アプリテーブルから上記優先指定情報を抽出する優先指定抽出手段と、
上記優先指定抽出手段により抽出された優先指定情報に基づいて呼び出しを行う着呼制御手段とを備えたことを特徴とする携帯通信端末。
【請求項２】
上記優先アプリテーブルが、上記加入者情報ごとに記憶され、上記優先指定情報がユーザ操作に基づいて変更可能であることを特徴とする請求項１に記載の携帯通信端末。
【請求項３】
上記発信元端末のアドレス情報に基づいて、発信元端末に対して着信応答を送信する送信手段を備え、
上記送信手段は、上記呼び出しが行われない場合に、着信応答を送信しないことを特徴とする請求項１又は２に記載の携帯通信端末。
【請求項４】
上記発信元端末のアドレス情報に基づいて、発信元端末に対して着信応答を送信する送信手段を備え、
上記送信手段は、上記呼び出しが行われる場合に着信応答を送信し、呼び出しが行われない場合には、接続拒否を示す接続拒否応答を送信することを特徴とする請求項１又は２に記載の携帯通信端末。
【請求項５】
上記アプリケーション実行手段は、上記呼び出しが行われる場合に、実行中のアプリケーションプログラムを終了させることを特徴とする請求項１又は２に記載の携帯通信端末。
【発明の詳細な説明】
【技術分野】
【０００１】
本発明は、携帯通信端末に係り、さらに詳しくは、発信元となる通信端末からアドレス情報を含む接続要求を受信した際に呼び出しを行う携帯通信端末の改良に関する。
【背景技術】
【０００２】
近年、通信相手端末の加入者情報を指定することにより、通信手段を選択して接続要求を送信するとともに、送信先端末が接続要求に応じなければ、異なる通信手段に自動的に切り替えて再度接続要求を送信する携帯電話機が提案されている（例えば、特許文献１）。この特許文献１に記載の携帯電話機では、音声電話、ＴＶ電話、チャット及び電子メールが発信時の通信手段として選択可能であり、これらの通信手段のいずれを用いて発信処理を行うかがユーザにより優先順位を付けて指定され、加入者情報ごとのユーザ登録情報として予め記憶される。そして、発信時には、ユーザ名などの加入者情報を指定すると、当該加入者情報に対応付けられたユーザ登録情報に基づいて通信手段が選択され、接続要求が送信される。
【特許文献１】特開２００６−１４０６６４号公報
【発明の開示】
【発明が解決しようとする課題】
【０００３】
通常、他の通信端末から発信された接続要求を受信した場合、発信元端末に対して着信応答を送信するとともに、実行中のアプリケーションを中断させて呼び出し音を再生するなどの着呼制御が行われる。例えば、接続要求の受信時にＴＶ視聴のアプリケーションプログラムを実行中であれば、当該アプリケーションプログラムによるＴＶ画面の表示やＴＶ音声の出力を中断させて呼び出し画面を表示し、或いは、呼び出し音を再生する処理が行われる。そして、この様な呼び出し中にオフフック操作が行われれば、接続を受諾する旨が発信元端末に通知され、通信が開始される。
【０００４】
一般に、他の通信端末において発信される接続要求がいつ受信し、さらに誰から受信するのかをユーザが予め知っているケースは少ない。このため、アプリケーションの実行中に接続要求を受信した場合に、接続要求の発信元によっては当該接続要求に応じたくないということが生じると考えられる。また、ＴＶ視聴プログラムやウェブブラウザなどのアプリケーションプログラムの場合には、プログラムの実行中に接続要求を受信すると、画面表示が中断されることから、呼び出しを行って欲しくないということも生じると考えられる。従来の携帯通信端末では、接続要求を受信すると、実行中のアプリケーションを中断させて呼び出しが行われることから、実行中のアプリケーションを優先させたい場合であっても、呼び出しが行われてしまうという問題があった。
【０００５】
本発明は、上記事情に鑑みてなされたものであり、着信時の動作に関して利便性を向上させた携帯通信端末を提供することを目的としている。特に、発信元及び実行中のアプリケーションに応じて適切に呼び出しを行わせることができる携帯通信端末を提供することを目的としている。また、実行中のアプリケーションを優先させたい場合に、呼び出しが行われるのを防止することができる携帯通信端末を提供することを目的としている。
【課題を解決するための手段】
【０００６】
第１の本発明による携帯通信端末は、発信元となる通信端末からアドレス情報を含む接続要求を受信する受信手段と、受信した上記接続要求から発信元端末のアドレス情報を抽出する発信元情報抽出手段と、画面表示を行う２以上の異なるアプリケーションプログラムを実行し、実行中のアプリケーションプログラムを示す実行中アプリ情報を生成するアプリケーション実行手段と、他の通信端末の加入者情報にそれぞれ対応付けられた２以上のアドレス情報からなる加入者テーブルを記憶する加入者テーブル記憶手段と、上記接続要求の受信時に呼び出しを行うか否かを指定する上記アプリケーションプログラムごとの優先指定情報からなる優先アプリテーブルを記憶する優先アプリテーブル記憶手段と、上記優先アプリテーブルに関連付けるか否かを指定する上記加入者情報ごとのアプリテーブル指定情報からなるアプリ参照テーブルを記憶するアプリ参照テーブル記憶手段と、上記発信元端末のアドレス情報に基づいて、上記加入者テーブルから加入者情報を抽出する加入者情報抽出手段と、上記アプリ参照テーブルに基づいて、上記加入者情報抽出手段により抽出された加入者情報が上記優先アプリテーブルに関連付けられているか否かを判別するアプリ参照判別手段と、上記アプリ参照判別手段による判別結果に基づいて上記優先アプリテーブルを読み出し、上記実行中アプリ情報に基づいて優先アプリテーブルから上記優先指定情報を抽出する優先指定抽出手段と、上記優先指定抽出手段により抽出された優先指定情報に基づいて呼び出しを行う着呼制御手段とを備えて構成される。
【０００７】
この携帯通信端末では、受信した接続要求から発信元端末のアドレス情報が抽出され、抽出された発信元端末のアドレス情報に基づいて加入者情報が抽出される。そして、抽出された加入者情報が優先アプリテーブルに関連付けられているか否かがアプリ参照テーブルに基づいて判別され、その判別結果に基づいて優先アプリテーブルが読み出される。その際、優先アプリテーブルから実行中アプリ情報に基づいて優先指定情報が抽出され、抽出された優先指定情報に基づいて呼び出しが行われる。この様な構成により、アプリ参照テーブルに基づいて発信元が優先アプリテーブルに関連付けられているか否かが判別され、実行中アプリ情報に基づいて優先指定情報が抽出されるので、発信元及び実行中のアプリケーションに応じて呼び出しを行わせることができる。また、実行中のアプリケーションを優先させたい場合に、呼び出しが行われるのを防止することができる。
【０００８】
第２の本発明による携帯通信端末は、上記構成に加え、上記優先アプリテーブルが、上記加入者情報ごとに記憶され、上記優先指定情報がユーザ操作に基づいて変更可能であるように構成される。この様な構成によれば、発信元に応じた優先アプリテーブルに基づいて呼び出しが行われるので、発信元に応じて適切に呼び出しを行わせることができる。
【０００９】
第３の本発明による携帯通信端末は、上記構成に加え、上記発信元端末のアドレス情報に基づいて、発信元端末に対して着信応答を送信する送信手段を備え、上記送信手段が、上記呼び出しが行われない場合に、着信応答を送信しないように構成される。
【００１０】
第４の本発明による携帯通信端末は、上記構成に加え、上記発信元端末のアドレス情報に基づいて、発信元端末に対して着信応答を送信する送信手段を備え、上記送信手段が、上記呼び出しが行われる場合に着信応答を送信し、呼び出しが行われない場合には、接続拒否を示す接続拒否応答を送信するように構成される。
【００１１】
第５の本発明による携帯通信端末は、上記構成に加え、上記アプリケーション実行手段が、上記呼び出しが行われる場合に、実行中のアプリケーションプログラムを終了させるように構成される。
【発明の効果】
【００１２】
本発明による携帯通信端末によれば、アプリ参照テーブルに基づいて発信元が優先アプリテーブルに関連付けられているか否かが判別され、実行中アプリ情報に基づいて優先指定情報が抽出されるので、発信元及び実行中のアプリケーションに応じて適切に呼び出しを行わせることができ、着信時の動作に関して利便性を向上させることができる。また、実行中のアプリケーションを優先させたい場合に、呼び出しが行われるのを防止することができる。
【発明を実施するための最良の形態】
【００１３】
図１は、本発明の実施の形態による携帯通信端末の概略構成の一例を示したブロック図であり、携帯通信端末の一例としての携帯電話機１が示されている。この携帯電話機１は、セルラー通信部２、ＴＶ放送受信部３、操作入力部４、受話用レシーバ５ａ、マイクロホン５ｂ、スピーカ６、ＬＣＤ７、カメラ８、プログラム記憶部９、アプリケーション実行部１０、加入者テーブル記憶部１１、優先アプリテーブル記憶部１２及びアプリ参照テーブル記憶部１３を備えており、それらの動作が主制御部１４により制御される。
【００１４】
セルラー通信部２は、通信用のアンテナ２ａを介して基地局との間で電波の送受信を行う移動体通信処理手段である。発信時には、接続要求が送信先端末に対して送信され、送信先端末からの接続受諾応答を受信すると、通信が開始される。発信元となる他の通信端末から発信された接続要求の受信時には、受信した接続要求に基づいて着信応答が送信され、呼び出し画面の表示や呼び出し音の再生などが行われる。
【００１５】
上記接続要求には、自局のアドレス情報と、送信先端末のアドレス情報とを含む通信データであり、所定の通信プロトコルに基づいて生成される。着信応答は、自局のアドレス情報と、発信元端末のアドレス情報とを含む通信データであり、接続可能であることを接続要求の発信元に通知するために送信される。接続受諾応答は、接続を受諾したことを発信元に通知するために送信される通信データであり、呼び出し中におけるオフフック操作に基づいて生成される。
【００１６】
ここでは、通信を開始する際に、通信相手による接続を受諾するか否かの応答操作が必要な通信として、音声電話、ＴＶ電話、チャットメール及びＰｏｃによる通信が可能であるものとする。音声電話は、通常の音声信号の送受信による通信であり、電話番号を送信先端末のアドレス情報として指定してオフフック操作することにより、接続要求が生成され、送信先端末へ送信される。
【００１７】
ＴＶ（TeleVision：テレビジョン）電話は、音声信号と共に撮影画像を送受信する通信であり、電話番号を送信先端末のアドレス情報として指定してオフフック操作することにより、接続要求が生成され、送信先端末へ送信される。このＴＶ電話では、音声データ及び画像データがパケット化され、インターネットなどの通信ネットワークを介してパケットデータが通信端末間で送受信される。
【００１８】
チャットメールは、文字列からなるテキストデータを送受信するメール通信であり、１又は２以上の送信先端末のメールアドレスをアドレス情報として指定して発信操作することにより、接続要求が生成され、各送信先端末へ送信される。このチャットメールでは、インターネットなどの通信ネットワーク上のメールサーバにメッセージを書き込むことにより、接続を受諾した複数の通信端末は、メールサーバを介して同時に当該メッセージを閲覧することができる。
【００１９】
Ｐｏｃ（Push to talk over cellular）は、音声データを所定の通信プロトコルに基づいてパケット化して送受信する半二重方式の音声通信であり、１又は２以上の送信先端末の電話番号又はメールアドレスを指定して発信操作することにより、接続要求が生成され、各送信先端末へ送信される。このＰｏｃでは、インターネットなどの通信ネットワークを介して音声パケットが接続を受諾した複数の通信端末間で送受信され、発話者は、例えば、所定の操作キーを操作している間だけ他の通信端末に対して発話することができる。
【００２０】
ＴＶ放送受信部３は、ＴＶ放送受信用のアンテナ３ａを介して、ＴＶ局から発信されているＴＶ放送波を受信するチューナーである。このＴＶ放送受信部３により、ＴＶ画像、ＴＶ音声及び属性情報からなる受信データが生成される。ＴＶ局から発信されるＴＶ放送波には、アナログ放送に対応したアナログ放送波と、デジタル放送に対応したデジタル放送波とが含まれている。このＴＶ放送受信部３が受信するデジタル放送波は、一般のデジタルハイビジョン放送波の一定帯域に割り当てられた携帯電話機向けの１セグメント放送波であり、ＴＶ画像及びＴＶ音声に加えて、そのＴＶ画像に対応する字幕や関連する記事などの文字情報、副音声やステレオ放送の有無などの音声情報、受信電波の周波数帯に応じたチャンネル情報などが属性情報として含まれている。
【００２１】
ＴＶ放送受信部３によるＴＶ放送波の受信処理では、ユーザが選局したチャンネルに対応する特定の周波数帯域に含まれるベースバンド信号が抽出され、受信データとして出力される。
【００２２】
ＴＶ放送受信部３で受信したＴＶ放送波に基づいて、ＬＣＤ７の表示画面上にＴＶ画像を表示するとともに、そのＴＶ画像に対応するＴＶ音声をスピーカ６から出力することにより、ＴＶ放送を視聴することができる。また、ＴＶ放送波に含まれる文字情報を抽出して表示画面に表示させることにより、ＴＶ画像とともに字幕などの文字情報を表示させることができる。また、ＴＶ放送波に基づくＴＶ画像やＴＶ音声をメモリ（図示せず）に記憶させれば、ＴＶ放送を録画することができる。
【００２３】
操作入力部４は、操作キー４ａの操作に基づいて入力信号を生成する動作を行っている。操作キー４ａは、電話番号やメールアドレスなどを入力するためのテンキーと、接続を終了させるオンフックキーと、接続を開始させるオフフックキーと、方向キーなどからなる。受話用レシーバ５ａは、通話時における音声の出力装置であり、マイクロホン５ｂは、通話時における音声の入力装置である。
【００２４】
スピーカ６は、受話用レシーバ５ａに比べて、大きな音量の音を出力することができる音声の出力装置である。このスピーカ６により、着信時の呼び出し音が出力され、或いは、ＴＶ視聴時のＴＶ音声が出力される。ＬＣＤ（Liquid Crystal Display：液晶ディスプレイ）７は、表示画面を有する画像の出力装置である。このＬＣＤ７には、着信時の呼び出し画面、ＴＶ電話時に通信相手端末による撮影画像、チャットメール時にメールサーバから取得した電子メールの閲覧画面、ＴＶ視聴時のＴＶ画像などが表示される。
【００２５】
カメラ８は、被写体を撮影して画像データを生成する撮像装置であり、ＣＣＤ（Charge Coupled Device：電荷結合素子）などの撮像素子からなる。
【００２６】
プログラム記憶部９は、画面表示を行う複数の異なるアプリケーションプログラムを記憶する不揮発性のメモリである。アプリケーション実行部１０は、ユーザ操作に基づいてプログラム記憶部９内のアプリケーションプログラムを実行する動作を行っている。このアプリケーション実行部１０により実行されるアプリケーションプログラムは、操作キー４ａの操作に基づいてＬＣＤ７の表示画面上に画像データやテキストデータを表示させるプログラムである。
【００２７】
この様なアプリケーションプログラムとしては、ＴＶ視聴処理、ブラウザ処理、メール編集処理、或いは、撮像処理を行うものなどが想定される。また、アプリケーションプログラムは、デフォルトで予め備えられているものの他に、インターネットなどの通信ネットワーク上のウェブサーバから取得し、或いは、他の通信端末から取得したものであっても良い。アプリケーション実行部１０では、実行中のアプリケーションプログラムを示す実行中アプリ情報が生成され、セルラー通信部２へ出力される。
【００２８】
ここでは、プログラム記憶部９内に格納されているアプリケーションプログラムがアプリケーション実行部１０において選択的に実行されるものとするが、これらのアプリケーションプログラムを複数同時に実行するものを除外するものではない。また、アプリケーション実行部１０により実行されるアプリケーションプログラム以外に、アプリケーションプログラムが存在しても良い。例えば、待受け時などに背景画像を表示するアプリケーション、電波の受信状態などを示すピクトグラム（絵文字）を表示するアプリケーションは、アプリケーション実行部１０によるプログラムの実行処理とは関わりなく実行される。
【００２９】
ＴＶ視聴処理は、ＴＶ放送受信部３からの受信データに基づいて、ＴＶ画像をＬＣＤ７上に表示させるとともにＴＶ音声をスピーカ６から再生させ、ユーザによる選局操作に基づいて受信チャンネルを変更させる処理である。ブラウザ処理は、ユーザが指定したアドレス情報に基づいてインターネットなどの通信ネットワーク上のウェブサーバに接続するとともに、ウェブサーバ上のウェブサイトを閲覧し、或いは、ウェブサーバ上のコンテンツデータを取得する処理である。
【００３０】
メール編集処理は、ユーザ操作に基づいて文字メッセージからなる電子メールを作成してＬＣＤ７上に表示させ、或いは、メール本文を編集し、ユーザが指定したメールアドレスに基づいて送信先端末に対して電子メールを送信させる処理である。撮像処理は、カメラ８により撮影された画像データをＬＣＤ７上に表示させ、ユーザによるレリーズ操作に基づいて画像データを静止画像としてメモリ上に取り込む処理である。
【００３１】
加入者テーブル記憶部１１は、加入者テーブルを書き換え可能に記憶するメモリである。この加入者テーブルは、複数のアドレス情報からなり、各アドレス情報は、他の通信端末の加入者情報にそれぞれ対応付けられている。ここで、上記加入者情報は、ユーザが指定した通信端末の識別情報であり、例えば、通信端末の使用者名などが用いられるものとする。
【００３２】
優先アプリテーブル記憶部１２は、優先アプリテーブルを書き換え可能に記憶するメモリである。この優先アプリテーブルは、接続要求の受信時に呼び出しを行うか否かを指定する優先指定情報からなる。優先指定情報は、プログラム記憶部９内のアプリケーションプログラムごとに生成され、ユーザ操作に基づいて変更することができる。
【００３３】
ここでは、優先指定情報により、プログラム記憶部９内に格納されている全アプリケーションプログラムについて、呼び出しを行う（応答優先）か、呼び出しを行わない（アプリケーション優先）かのいずれかが指定されるものとする。また、ユーザによる優先指定がない場合は、当該アプリケーションプログラムについては応答優先がデフォルト設定として指定されるものとする。
【００３４】
アプリ参照テーブル記憶部１３は、アプリ参照テーブルを書き換え可能に記憶するメモリである。このアプリ参照テーブルは、優先アプリテーブルに関連付けるか否かを指定するアプリテーブル指定情報からなる。アプリテーブル指定情報は、加入者テーブルの加入者情報ごとに生成され、ユーザ操作に基づいて変更することができる。ここでは、ユーザによる関連付けの指定がない場合、当該加入者情報については関連付けしないことがデフォルト設定として指定されるものとする。また、加入者情報がアプリテーブル指定情報により関連付けられる優先アプリテーブルは、１又は２以上であるものとする。
【００３５】
図２は、図１の携帯電話機１の要部における一構成例を示したブロック図であり、セルラー通信部２内の機能構成の一例が示されている。このセルラー通信部２は、受信処理部２１、発信元情報抽出部２２、加入者情報抽出部２３、アプリ参照判別部２４、優先指定抽出部２５、着呼制御部２６及び送信処理部２７からなる。受信処理部２１は、アンテナ２ａを介して発信元端末からの接続要求を受信する処理を行っている。
【００３６】
発信元情報抽出部２２は、受信した接続要求から発信元端末のアドレス情報を抽出する動作を行っている。例えば、発信元端末の電話番号又はメールアドレスがアドレス情報として抽出される。
【００３７】
加入者情報抽出部２３は、加入者テーブルを参照し、発信元情報抽出部２２により抽出された発信元端末のアドレス情報に基づいて当該加入者テーブルから加入者情報を抽出する動作を行っている。具体的には、発信元端末のアドレス情報と一致するアドレス情報が加入者テーブルに登録されているか否かが判別され、その判別結果に基づいて加入者情報が抽出される。
【００３８】
アプリ参照判別部２４は、アプリ参照テーブルを参照し、加入者情報抽出部２３により抽出された加入者情報が優先アプリテーブルに関連付けられているか否かを当該アプリ参照テーブルに基づいて判別する動作を行っている。
【００３９】
優先指定抽出部２５は、アプリ参照判別部２４による判別結果に基づいて優先アプリテーブルを読み出し、アプリケーション実行部１０からの実行中アプリ情報に基づいて当該優先アプリテーブルから優先指定情報を抽出する動作を行っている。
【００４０】
着呼制御部２６は、優先指定抽出部２５により抽出された優先指定情報に基づいて呼び出しを行い、呼び出し中におけるオフフックキーの操作に基づいて接続受諾応答を生成する動作を行っている。
【００４１】
具体的には、優先指定情報により、実行中のアプリケーションプログラムについて、応答優先が指定されていた場合、呼び出しを指示するための呼出制御信号が出力される。一方、アプリケーション優先が指定されていた場合には、呼び出しは行わない。呼び出しは、上記呼出制御信号に基づいて行われ、例えば、スピーカ６から呼び出し音が再生され、或いは、ＬＣＤ７上に呼び出し画面が表示される。
【００４２】
ここでは、発信元端末のアドレス情報と一致するアドレス情報が加入者テーブルに登録されていない場合、加入者情報抽出部２３により抽出された加入者情報が優先アプリテーブルに関連付けられていない場合、及び、プログラム記憶部９内に格納されているアプリケーションプログラムの実行中ではない場合、着信応答が優先され、呼び出しが行われるものとする。
【００４３】
また、複数のアプリケーションプログラムが実行中である場合には、これらの実行中のアプリケーションプログラムのうちの少なくとも１つについて、アプリケーション優先が指定されていれば、呼び出しは行わないものとする。つまり、この様な場合には、実行中の全てのアプリケーションについて応答優先が指定されている場合にのみ呼び出しが行われるものとする。
【００４４】
送信処理部２７は、発信元情報抽出部２２により抽出された発信元端末のアドレス情報に基づいて、アンテナ２ａを介して発信元端末に着信応答を送信する処理を行っている。この送信処理部２７では、着呼制御部２６により呼び出しが行われる場合に着信応答を送信し、呼び出しが行われない場合には、接続拒否を示す接続拒否応答を送信する動作が行われる。
【００４５】
アプリケーション実行部１０では、着呼制御部２６により呼び出しが行われる場合に、実行中のアプリケーションプログラムを終了させる動作が行われる。
【００４６】
図３は、図１の携帯電話機１における加入者テーブル３１の構成例を示した図である。この加入者テーブル３１では、電話番号やメールアドレスなどの複数のアドレス情報がそれぞれ通信端末の加入者情報に対応付けられている。この例では、加入者情報ごとに電話番号及びメールアドレスが対応付けられている。
【００４７】
具体的には、加入者情報「Ａ」に電話番号「ａ１」及びメールアドレス「ａ２」が対応付けられ、加入者情報「Ｂ」に電話番号「ｂ１」及びメールアドレス「ｂ２」が対応付けられている。また、加入者情報「Ｃ」に電話番号「ｃ１」及びメールアドレス「ｃ２」が対応付けられ、加入者情報「Ｄ」に電話番号「ｄ１」及びメールアドレス「ｄ２」が対応付けられている。また、加入者情報「Ｅ」に電話番号「ｅ１」及びメールアドレス「ｅ２」が対応付けられている。
【００４８】
図４は、図１の携帯電話機１における優先アプリテーブル３２の構成例を示した図である。この優先アプリテーブル３２では、優先指定情報がプログラム記憶部９内の複数のアプリケーションプログラムについて定められている。この例では、アプリケーションプログラムごとに、呼び出しを行う（丸印）か、呼び出しを行わない（×印）かのいずれかが定められている。
【００４９】
具体的には、アプリケーションプログラム「Ｐ１」には優先指定情報「丸印」が指定され、アプリケーションプログラム「Ｐ２」には優先指定情報「×印」が指定されている。また、アプリケーションプログラム「Ｐ３」には優先指定情報「丸印」が指定されている。
【００５０】
図５は、図１の携帯電話機１におけるアプリ参照テーブル３３の構成例を示した図である。このアプリ参照テーブル３３では、アプリテーブル指定情報が加入者テーブル３１内の複数の加入者情報について定められている。この例では、加入者情報ごとに、優先アプリテーブル３２に関連付ける（丸印）か、関連付けしない（×印）かのいずれかが定められている。
【００５１】
具体的には、加入者情報「Ａ」にはアプリテーブル指定情報「×印」が指定され、加入者情報「Ｂ」にはアプリテーブル指定情報「丸印」が指定されている。また、加入者情報「Ｃ」にはアプリテーブル指定情報「×印」が指定されている。
【００５２】
この様なアプリ参照テーブル３３により、優先アプリテーブル３２への関連付けが加入者情報を介して指定された発信元については、優先アプリテーブル３２に基づいて呼び出しが行われることとなる。
【００５３】
図６は、図１の携帯電話機１における優先アプリテーブル３２ａ〜３２ｃ及びアプリ参照テーブル３４の他の構成例を示した図である。この例では、加入者テーブル３１内の加入者情報ごとに優先アプリテーブル３２ａ〜３２ｃが記憶され、それぞれアプリ参照テーブル３４内の加入者情報に関連付けられている。
【００５４】
具体的には、優先アプリテーブル３２ａがアプリ参照テーブル３４の加入者情報「Ａ」に関連付けられ、優先アプリテーブル３２ｂがアプリ参照テーブル３４の加入者情報「Ｂ」に関連付けられている。また、優先アプリテーブル３２ｃがアプリ参照テーブル３４の加入者情報「Ｃ」に関連付けられている。
【００５５】
優先アプリテーブル３２ａでは、アプリケーションプログラム「Ｐ１」に優先指定情報「丸印」が指定され、アプリケーションプログラム「Ｐ２」には優先指定情報「×印」が指定されている。また、アプリケーションプログラム「Ｐ３」には優先指定情報「丸印」が指定されている。この様な優先アプリテーブル３２ａ〜３２ｃ及びアプリ参照テーブル３４により、加入者情報を介して優先アプリテーブルへ関連付けられる発信元については、発信元に応じた優先アプリテーブルに基づいて呼び出しが行われることとなる。
【００５６】
図７のステップＳ１０１〜Ｓ１１１は、図１の携帯電話機１における着信時の動作の一例を示したフローチャートである。まず、優先指定抽出部２５は、発信元端末からの接続要求が受信されると、アプリケーション実行部１０から実行中アプリ情報を取得する（ステップＳ１０１）。
【００５７】
次に、発信元情報抽出部２２は、受信処理部２１により受信された接続要求から発信元端末のアドレス情報を抽出する（ステップＳ１０２）。加入者情報抽出部２３は、発信元情報抽出部２２により抽出されたアドレス情報に基づいて、加入者テーブルから加入者情報を抽出する（ステップＳ１０３）。アプリ参照判別部２４は、アプリ参照テーブルに基づいて、加入者情報抽出部２３により抽出された加入者情報が優先アプリテーブルに関連付けられているか否かを判別する（ステップＳ１０４）。
【００５８】
このとき、優先指定抽出部２５は、優先アプリテーブルへの関連付けが指定されていれば、優先アプリテーブルを参照し、実行中のアプリケーションプログラムに対応する優先指定情報を当該優先アプリテーブルから抽出する（ステップＳ１０５，Ｓ１０６）。
【００５９】
着呼制御部２６は、優先アプリテーブルへの関連付けが指定されていないか、或いは、優先指定抽出部２５により抽出された優先指定情報においてアプリケーション優先が指定されていなければ、呼出制御信号を生成する（ステップＳ１０７）。このとき、アプリケーション実行部１０は、呼出制御信号に基づいて、実行中のアプリケーションプログラムを終了させ、送信処理部２７は、呼出制御信号に基づいて発信元端末に着信応答を送信する（ステップＳ１０８，Ｓ１０９）。そして、着呼制御信号に基づく呼び出しが行われる（ステップＳ１１０）。一方、着呼制御部２６では、アプリケーション優先が指定されていれば、発信元端末からの接続要求は拒否され、発信元端末に対して接続拒否応答が送信される（ステップＳ１１１）。
【００６０】
本実施の形態によれば、アプリ参照テーブルに基づいて発信元が優先アプリテーブルに関連付けられているか否かが判別され、実行中アプリ情報に基づいて優先指定情報が抽出されるので、発信元及び実行中のアプリケーションに応じて適切に呼び出しを行わせることができる。また、実行中のアプリケーションを優先させたい場合に、呼び出しが行われるのを防止することができる。
【図面の簡単な説明】
【００６１】
【図１】本発明の実施の形態による携帯通信端末の概略構成の一例を示したブロック図であり、携帯通信端末の一例としての携帯電話機１が示されている。
【図２】図１の携帯電話機１の要部における一構成例を示したブロック図であり、セルラー通信部２内の機能構成の一例が示されている。
【図３】図１の携帯電話機１における加入者テーブル３１の構成例を示した図である。
【図４】図１の携帯電話機１における優先アプリテーブル３２の構成例を示した図である。
【図５】図１の携帯電話機１におけるアプリ参照テーブル３３の構成例を示した図である。
【図６】図１の携帯電話機１における優先アプリテーブル３２ａ〜３２ｃ及びアプリ参照テーブル３４の他の構成例を示した図である。
【図７】図１の携帯電話機１における着信時の動作の一例を示したフローチャートである。
【符号の説明】
【００６２】
１  携帯電話機
２  セルラー通信部
２ａ  通信用のアンテナ
３  ＴＶ放送受信部
３ａ  ＴＶ放送受信用のアンテナ
４  操作入力部
４ａ  操作キー
５ａ  受話用レシーバ
５ｂ  マイクロホン
６  スピーカ
７  ＬＣＤ
８  カメラ
９  プログラム記憶部
１０  アプリケーション実行部
１１  加入者テーブル記憶部
１２  優先アプリテーブル記憶部
１３  アプリ参照テーブル記憶部
１４  主制御部
２１  受信処理部
２２  発信元情報抽出部
２３  加入者情報抽出部
２４  アプリ参照判別部
２５  優先指定抽出部
２６  着呼制御部
２７  送信処理部
【図１】
2008148093.tif 000003
【図２】
2008148093.tif 000004
【図３】
2008148093.tif 000005
【図４】
2008148093.tif 000006
【図５】
2008148093.tif 000007
【図６】
2008148093.tif 000008
【図７】
2008148093.tif 000009